【手続補正書】
【提出日】平成31年4月18日(2019.4.18)
【手続補正１】
【補正対象書類名】特許請求の範囲
【補正対象項目名】全文
【補正方法】変更
【補正の内容】
【特許請求の範囲】
【請求項１】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第１の継手構成要素および前記第２の継手構成要素のうちの少なくとも１つと組み立てられる保定器であって、前記保定器は、前記導管端を握持するように第１の表面接触面積を覆って前記挿入された導管端に係合する握持部分と、前記握持部分の外側のコレット固定部分とを含み、前記コレット固定部分は、前記挿入された導管端をコレット固定するように前記第１の表面接触面積より大きい第２の表面接触面積を覆って前記挿入された導管端に係合する、保定器と
を備える、継手アセンブリ。
【請求項２】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第１の継手構成要素および前記第２の継手構成要素のうちの少なくとも１つと組み立てられる保定器であって、前記保定器は、前記挿入された導管端を握持する複数の円周方向に離間した軸受部材を備える握持部分と、前記握持部分の外側のコレット固定部分とを含み、前記コレット固定部分は、前記挿入された導管端をコレット固定する、保定器と
を備える、継手アセンブリ。
【請求項３】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第２の継手構成要素と組み立てられる保定器であって、前記保定器は、握持部分と、前記握持部分の外側のコレット固定部分とを含み、前記握持部分は、前記挿入された導管端との握持係合に向かって半径方向内向きにばね付勢され、前記コレット固定部分は、前記挿入された導管端とのコレット固定係合に向かって半径方向内向きにばね付勢される、保定器と
を備える、継手アセンブリ。
【請求項４】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第２の継手構成要素と組み立てられる保定器であって、前記保定器は、握持部分と、前記握持部分の外側のコレット固定部分とを含み、前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、保定器と
を備える、継手アセンブリ。
【請求項５】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第２の継手構成要素と組み立てられる保定器であって、前記保定器は、握持部分と、前記握持部分の外側のコレット固定部分とを含み、前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、保定器と
を備える、継手アセンブリ。
【請求項６】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記導管端の外面で前記第１の継手構成要素および前記第２の継手構成要素のうちの１つを密閉する、シールデバイスと、
前記第１の継手構成要素および前記第２の継手構成要素のうちの少なくとも１つと組み立てられる保定器であって、前記保定器は、前記挿入された導管端を握持する握持部分と、前記握持部分の外側のコレット固定部分とを含み、前記コレット固定部分は、前記挿入された導管端の前記外面と係合するように撓曲されることにより前記挿入された導管端をコレット固定するように適合される端部分を有する少なくとも１つの軸方向に延在する半径方向に可撓性の部材を含む、保定器と
を備える、継手アセンブリ。
【請求項７】
縦軸を有する導管用の押動式接続継手アセンブリであって、前記継手アセンブリは、
導管端を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端が前記第１の継手構成要素の前記外側端の中に挿入されるときに、前記第１の継手構成要素および前記第２の継手構成要素のうちの１つと前記導管端の外面との間に非ポリマーシールを形成する、シールデバイスと、
前記第１の継手構成要素および前記第２の継手構成要素のうちの少なくとも１つと組み立てられる保定器であって、前記保定器は、前記挿入された導管端を握持する握持部分を含む、保定器と
を備える、継手アセンブリ。
【請求項８】
組み合わせで、押動式接続継手アセンブリ、および縦軸を有する導管であって、前記継手アセンブリは、
前記導管の端部分を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端部分が前記第１の継手構成要素の前記外側端の中に挿入されるときに、前記導管端部分の第１の外面で前記第１の継手構成要素および前記第２の継手構成要素のうちの１つを密閉する、シールデバイスと、
前記第１の継手構成要素および前記第２の継手構成要素のうちの少なくとも１つと組み立てられる保定器であって、前記保定器は、前記挿入された導管端部分の第２の外面を握持する複数の円周方向に離間した軸受部材を備える握持部分と、前記握持部分の外側のコレット固定部分とを含み、前記コレット固定部分は、前記挿入された導管端部分の第３の外面をコレット固定する、保定器と
を備える、組み合わせ。
【請求項９】
組み合わせで、押動式接続継手アセンブリ、および縦軸を有する導管であって、前記継手アセンブリは、
前記導管の端部分を受容するように適合される外側端を有する第１の継手構成要素と、
内部空洞を画定するように前記第１の継手構成要素に継合される第２の継手構成要素と、
前記内部空洞の中に配置されるシールデバイスであって、前記シールデバイスは、前記導管端部分が前記第１の継手構成要素の前記外側端の中に挿入されるときに、前記第１の継手構成要素および前記第２の継手構成要素のうちの１つと前記導管端部分の第１の外面との間に非ポリマーシールを形成する、シールデバイスと、
前記第１の継手構成要素および前記第２の継手構成要素のうちの少なくとも１つと組み立てられる保定器であって、前記保定器は、前記挿入された導管端部分の第２の外面を握持する握持部分を含む、保定器と
を備える、組み合わせ。
【請求項１０】
前記導管端部分の前記第２の外面は、前記導管端部分が完全に前記継手アセンブリの中に設置されるときに前記軸受部材を受容するように定寸される円周方向溝を含む、請求項９に記載の組み合わせ。
【請求項１１】
前記シールデバイスは、前記円周方向溝との軸受部材の係合が、前記挿入された導管端部分との前記シールデバイスの密閉係合の触覚指標を提供するように、前記導管端部分が完全に前記継手アセンブリの中に設置されるときに、前記導管端部分の前記第１の外面に対して密閉する、請求項９に記載の組み合わせ。
【請求項１２】
前記第１の外面、前記第２の外面、および前記第３の外面は、一様な外径を有する円筒表面をともに画定する、請求項９に記載の組み合わせ。
【請求項１３】
前記密閉デバイスは、前記導管端部分の前記円筒表面の事前修正を伴わずに、前記第１の外面に対して密閉するように構成される、請求項１２に記載の組み合わせ。
【請求項１４】
前記握持部分は、前記導管端部分の前記円筒表面の事前修正を伴わずに、前記第２の外面を握持するように構成される、請求項１２および１３のいずれかに記載の組み合わせ。
【請求項１５】
前記コレット固定部分は、前記導管端部分の前記円筒表面の事前修正を伴わずに、前記第３の外面をコレット固定するように構成される、請求項１２〜１４のいずれかに記載の組み合わせ。
【請求項１６】
前記シールデバイスは、前記第１の継手構成要素および前記第２の継手構成要素のうちの１つと前記挿入された導管端部分の前記外面との間に全金属シールを形成する、請求項９〜１５のいずれかに記載の組み合わせ。
【請求項１７】
前記シールデバイスは、内側向きのＣ字形断面を有する環状リップシールを含む、請求項９〜１６のいずれかに記載の組み合わせ。
【請求項１８】
前記シールデバイスは、前記第１の継手構成要素の内側肩部分に隣接する第１の端部と、前記環状リップシールの前記Ｃ字形断面の中で受容される第２の端部とを有する支持グランドをさらに含む、請求項１７に記載の組み合わせ。
【請求項１９】
前記第１の継手構成要素に対して前記シールデバイスを軸方向に付勢するように前記第２の継手構成要素と前記シールデバイスとの間に配置される付勢部材をさらに備える、請求項９〜１８のいずれかに記載の組み合わせ。
【手続補正２】
【補正対象書類名】明細書
【補正対象項目名】００１３
【補正方法】変更
【補正の内容】
【００１３】
別の例示的実施形態では、押動式接続継手アセンブリは、第１および第２の継手構成要素と、シールデバイスと、保定器とを含む。第１の継手構成要素は、導管端を受容するように適合される外側端を有する。第２の継手構成要素は、内部空洞を画定するように第１の継手構成要素に継合される。シールデバイスは、内部空洞の中に配置され、導管端が第１の継手構成要素の外側端の中に挿入されるときに、第１および第２の継手構成要素のうちの１つと導管の外面との間に非ポリマーシールを形成する。保定器は、第１および第２の継手構成要素のうちの少なくとも１つと組み立てられ、保定器は、導管端が第１の継手構成要素の外側端の中に挿入されるときに導管端を握持する、握持部分を含む。
本発明は、例えば、以下を提供する。
（項目１）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第１および第２の継手構成要素のうちの少なくとも１つと組み立てられる、保定器であって、前記保定器は、前記導管端を握持するように第１の表面接触面積を覆って前記挿入された導管端に係合する、握持部分と、前記握持部分の外側のコレット固定部分とを含み、前記コレット固定部分は、前記挿入された導管端をコレット固定するように前記第１の表面接触面積より大きい第２の表面接触面積を覆って前記挿入された導管端に係合する、保定器と、
を備える、継手アセンブリ。
（項目２）
前記保定器は、前記第２の継手構成要素と組み立てられる、環状保定器本体を備える、項目１に記載の継手アセンブリ。
（項目３）
前記握持部分および前記コレット固定部分のうちの少なくとも１つは、前記保定器本体と前記第２の継手構成要素との間で捕捉される、少なくとも１つの軸受部材を備える、項目２に記載の継手アセンブリ。
（項目４）
前記少なくとも１つの軸受部材はそれぞれ、略球形である、項目３に記載の継手アセンブリ。
（項目５）
前記握持部分および前記コレット固定部分のうちの少なくとも１つは、少なくとも１つの軸方向に延在する半径方向に可撓性の部材を備える、項目２〜４のいずれかに記載の継手アセンブリ。
（項目６）
前記少なくとも１つの可撓性部材は、前記保定器本体と一体型である、項目５に記載の継手アセンブリ。
（項目７）
前記握持部分は、前記保定器本体と前記継手アセンブリのテーパ状表面との間で捕捉される複数の軸受部材を備え、前記コレット固定部分は、前記保定器本体と一体型である、複数の軸方向に延在する半径方向に可撓性の部材を備える、項目２〜６のいずれかに記載の継手アセンブリ。
（項目８）
前記保定器本体は、環状断面を形成するように組み立てられる複数の弓状区画を備える、項目２〜７のいずれかに記載の継手アセンブリ。
（項目９）
前記握持部分は、複数の軸受部材を備え、前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目８に記載の継手アセンブリ。
（項目１０）
前記握持部分は、前記保定器本体内の対応する複数の空洞の中で保定される、複数の軸受部材を備える、項目２〜９のいずれかに記載の継手アセンブリ。
（項目１１）
前記保定器はさらに、前記握持部分の内側に第２のコレット固定部分を含む、項目１〜１０のいずれかに記載の継手アセンブリ。
（項目１２）
前記握持部分および前記コレット固定部分のうちの少なくとも１つを軸方向に付勢するように前記第２の継手構成要素と前記保定器との間に配置される、付勢部材をさらに備える、項目１〜１１のいずれかに記載の継手アセンブリ。
（項目１３）
前記第２の継手構成要素は、前記挿入された導管端の前記外面との係合に向かって半径方向内向きに前記握持部分および前記コレット固定部分のうちの前記少なくとも１つを移動させるように、前記握持部分および前記コレット固定部分のうちの前記軸方向に付勢された少なくとも１つに係合する、テーパ状内部表面を備える、項目１２に記載の継手アセンブリ。
（項目１４）
前記付勢部材は、前記テーパ状内部表面と係合するように前記握持部分および前記コレット固定部分の両方を軸方向に付勢する、項目１３に記載の継手アセンブリ。
（項目１５）
前記第１の継手構成要素は、雌ねじ山付き本体を備え、前記第２の継手構成要素は、雄ねじ山付きナットを備える、項目１〜１４のいずれかに記載の継手アセンブリ。
（項目１６）
前記第１の継手構成要素は、雄ねじ山付き本体を備え、前記第２の継手構成要素は、雌ねじ山付きナットを備える、項目１〜１４のいずれかに記載の継手アセンブリ。
（項目１７）
前記シールデバイスは、前記第１および第２の継手構成要素のうちの１つと前記挿入された導管端の前記外面との間に非ポリマーシールを形成する、項目１〜１６のいずれかに記載の継手アセンブリ。
（項目１８）
前記シールデバイスは、前記第１および第２の継手構成要素のうちの１つと前記挿入された導管端の前記外面との間に全金属シールを形成する、項目１〜１７のいずれかに記載の継手アセンブリ。
（項目１９）
前記シールデバイスは、内側向きのＣ字形断面を有する、環状リップシールを含む、項目１〜１８のいずれかに記載の継手アセンブリ。
（項目２０）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目１９に記載の継手アセンブリ。
（項目２１）
前記コレット固定部分は、前記挿入された導管端の円筒外面に共形化する湾曲内面を画定する、項目１〜２０のいずれかに記載の継手アセンブリ。
（項目２２）
前記第２の継手構成要素および前記保定器は、前記第２の継手構成要素が前記第１の継手構成要素から分解されるときに、サブアセンブリとしてともに保定される、項目１〜２１のいずれかに記載の継手アセンブリ。
（項目２３）
前記第２の継手構成要素、前記シールデバイス、および前記保定器は、前記第２の継手構成要素が前記第１の継手構成要素から分解されるときに、サブアセンブリとしてともに保定される、項目１〜２２のいずれかに記載の継手アセンブリ。
（項目２４）
前記コレット固定部分は、外部の外向き軸荷重が前記挿入された導管端に印加されないときに、半径方向間隙によって前記挿入された導管端の前記外面から分離される、項目１〜２３のいずれかに記載の継手アセンブリ。
（項目２５）
前記握持部分および前記コレット固定部分は、半径方向内向きにばね付勢される、項目１〜２４のいずれかに記載の継手アセンブリ。
（項目２６）
前記握持部分および前記コレット固定部分は、半径方向内向きに前記握持部分および前記コレット固定部分を付勢するように、前記第２の継手構成要素のテーパ状内部表面に対して軸方向にばね付勢される、項目１〜２５のいずれかに記載の継手アセンブリ。
（項目２７）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目１〜２６のいずれかに記載の継手アセンブリ。
（項目２８）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目１〜２７のいずれかに記載の継手アセンブリ。
（項目２９）
前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、項目１〜２８のいずれかに記載の継手アセンブリ。
（項目３０）
前記連続的テーパ状内部表面の前記第１および第２の部分は、単一の一様なテーパ状表面を形成する、項目２９に記載の継手アセンブリ。
（項目３１）
前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、項目１〜３０のいずれかに記載の継手アセンブリ。
（項目３２）
前記握持部分は、前記第１の継手構成要素の前記外側端の中への前記導管端の挿入に応じて、前記挿入された導管端を握持する、項目１〜３１のいずれかに記載の継手アセンブリ。
（項目３３）
前記コレット固定部分は、少なくとも流体圧力が前記継手アセンブリに印加されるときに、前記挿入された導管端をコレット固定する、項目１〜３２のいずれかに記載の継手アセンブリ。
（項目３４）
前記コレット固定部分は、少なくとも外部軸荷重が前記挿入された導管端に外側方向に印加されるときに、前記挿入された導管端をコレット固定する、項目１〜３３のいずれかに記載の継手アセンブリ。
（項目３５）
前記コレット固定部分は、前記第１の継手構成要素の前記外側端の中への前記導管端の挿入に応じて、前記挿入された導管端をコレット固定する、項目１〜３４のいずれかに記載の継手アセンブリ。
（項目３６）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第１および第２の継手構成要素のうちの少なくとも１つと組み立てられる、保定器であって、前記保定器は、前記挿入された導管端を握持する複数の円周方向に離間した軸受部材を備える、握持部分と、前記握持部分の外側のコレット固定部分とを含み、前記コレット固定部分は、前記挿入された導管端をコレット固定する、保定器と、
を備える、継手アセンブリ。
（項目３７）
前記保定器は、前記第２の継手構成要素と組み立てられる、環状保定器本体を備える、項目３６に記載の継手アセンブリ。
（項目３８）
前記握持部分および前記コレット固定部分のうちの少なくとも１つは、前記保定器本体と前記第２の継手構成要素との間で捕捉される、項目３７に記載の継手アセンブリ。
（項目３９）
前記コレット固定部分は、前記保定器本体と一体型である、少なくとも１つの軸方向に延在する半径方向に可撓性の部材を備える、項目３７および項目３８に記載の継手アセンブリ。
（項目４０）
前記複数の軸受部材は、前記保定器本体と前記継手アセンブリのテーパ状表面との間で捕捉される、項目３７〜３９のいずれかに記載の継手アセンブリ。
（項目４１）
前記保定器本体は、環状断面を形成するように組み立てられる複数の弓状区画を備える、項目３７〜４０に記載の継手アセンブリ。
（項目４２）
前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目４１に記載の継手アセンブリ。
（項目４３）
前記複数の軸受部材は、前記保定器本体内の対応する複数の空洞の中で保定される、項目３７〜４２のいずれかに記載の継手アセンブリ。
（項目４４）
前記コレット固定部分は、少なくとも１つの軸方向に延在する半径方向に可撓性の部材を備える、項目３６〜４３のいずれかに記載の継手アセンブリ。
（項目４５）
前記複数の軸受部材はそれぞれ、略球形である、項目３６〜４４のいずれかに記載の継手アセンブリ。
（項目４６）
前記保定器はさらに、前記複数の軸受部材の内側に第２のコレット固定部分を含む、項目３６〜４５のいずれかに記載の継手アセンブリ。
（項目４７）
前記握持部分および前記コレット固定部分のうちの少なくとも１つを軸方向に付勢するように前記第２の継手構成要素と前記保定器との間に配置される、付勢部材をさらに備える、項目３６〜４６のいずれかに記載の継手アセンブリ。
（項目４８）
前記第２の継手構成要素は、前記挿入された導管端の前記外面との係合に向かって半径方向内向きに前記握持部分および前記コレット固定部分のうちの前記少なくとも１つを移動させるように、前記握持部分および前記コレット固定部分のうちの前記軸方向に付勢された少なくとも１つに係合する、テーパ状内部表面を備える、項目４７に記載の継手アセンブリ。
（項目４９）
前記付勢部材は、前記テーパ状内部表面と係合するように前記握持部分および前記コレット固定部分の両方を軸方向に付勢する、項目４８に記載の継手アセンブリ。
（項目５０）
前記第１の継手構成要素は、雌ねじ山付き本体を備え、前記第２の継手構成要素は、雄ねじ山付きナットを備える、項目３６〜４９のいずれかに記載の継手アセンブリ。
（項目５１）
前記第１の継手構成要素は、雄ねじ山付き本体を備え、前記第２の継手構成要素は、雌ねじ山付きナットを備える、項目３６〜４９のいずれかに記載の継手アセンブリ。
（項目５２）
前記シールデバイスは、前記第１および第２の継手構成要素のうちの１つと前記挿入された導管端の前記外面との間に非ポリマーシールを形成する、項目３６〜５１のいずれかに記載の継手アセンブリ。
（項目５３）
前記シールデバイスは、前記第１および第２の継手構成要素のうちの１つと前記挿入された導管端の前記外面との間に全金属シールを形成する、項目３６〜５２のいずれかに記載の継手アセンブリ。
（項目５４）
前記シールデバイスは、内側向きのＣ字形断面を有する、環状リップシールを含む、項目３６〜５３のいずれかに記載の継手アセンブリ。
（項目５５）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目５４に記載の継手アセンブリ。
（項目５６）
前記コレット固定部分は、前記挿入された導管端の円筒外面に共形化する湾曲内面を画定する、項目３６〜５５のいずれかに記載の継手アセンブリ。
（項目５７）
前記第２の継手構成要素および前記保定器は、前記第２の継手構成要素が前記第１の継手構成要素から分解されるときに、サブアセンブリとしてともに保定される、項目３６〜５６のいずれかに記載の継手アセンブリ。
（項目５８）
前記第２の継手構成要素、前記シールデバイス、および前記保定器は、前記第２の継手構成要素が前記第１の継手構成要素から分解されるときに、サブアセンブリとしてともに保定される、項目３６〜５７のいずれかに記載の継手アセンブリ。
（項目５９）
前記コレット固定部分は、外部の外向き軸荷重が前記挿入された導管端に印加されないときに、半径方向間隙によって前記挿入された導管端の前記外面から分離される、項目３６〜５８のいずれかに記載の継手アセンブリ。
（項目６０）
前記握持部分および前記コレット固定部分は、半径方向内向きにばね付勢される、項目３６〜５９のいずれかに記載の継手アセンブリ。
（項目６１）
前記握持部分および前記コレット固定部分は、半径方向内向きに前記握持部分および前記コレット固定部分を付勢するように、前記第２の継手構成要素のテーパ状内部表面に対して軸方向にばね付勢される、項目３６〜６０のいずれかに記載の継手アセンブリ。
（項目６２）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目３６〜６１のいずれかに記載の継手アセンブリ。
（項目６３）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目３６〜６２のいずれかに記載の継手アセンブリ。
（項目６４）
前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、項目３６〜６３のいずれかに記載の継手アセンブリ。
（項目６５）
前記連続的テーパ状内部表面の前記第１および第２の部分は、単一の一様なテーパ状表面を形成する、項目６４に記載の継手アセンブリ。
（項目６６）
前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、項目３６〜６５のいずれかに記載の継手アセンブリ。
（項目６７）
前記握持部分は、前記導管端を握持するように第１の表面接触面積を覆って前記挿入された導管端に係合し、前記コレット固定部分は、前記挿入された導管端をコレット固定するように前記第１の表面接触面積より大きい第２の表面接触面積を覆って前記挿入された導管端に係合する、項目３６〜６６のいずれかに記載の継手アセンブリ。
（項目６８）
前記複数の軸受部材は、前記第１の継手構成要素の前記外側端の中への前記導管端の挿入に応じて、前記挿入された導管端を握持する、項目３６〜６７のいずれかに記載の継手アセンブリ。
（項目６９）
前記コレット固定部分は、少なくとも流体圧力が前記継手アセンブリに印加されるときに、前記挿入された導管端をコレット固定する、項目３６〜６８のいずれかに記載の継手アセンブリ。
（項目７０）
前記コレット固定部分は、少なくとも外部軸荷重が前記挿入された導管端に外側方向に印加されるときに、前記挿入された導管端をコレット固定する、項目３６〜６９のいずれかに記載の継手アセンブリ。
（項目７１）
前記コレット固定部分は、前記第１の継手構成要素の前記外側端の中への前記導管端の挿入に応じて、前記挿入された導管端をコレット固定する、項目３６〜７０のいずれかに記載の継手アセンブリ。
（項目７２）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第２の継手構成要素と組み立てられる、保定器であって、前記保定器は、握持部分と、前記握持部分の外側のコレット固定部分とを含み、前記握持部分は、前記挿入された導管端との握持係合に向かって半径方向内向きにばね付勢され、前記コレット固定部分は、前記挿入された導管端とのコレット固定係合に向かって半径方向内向きにばね付勢される、保定器と、
を備える、継手アセンブリ。
（項目７３）
前記握持部分および前記コレット固定部分は、半径方向内向きに前記握持部分および前記コレット固定部分を付勢するように、前記第２の継手構成要素のテーパ状内部表面に対して軸方向にばね付勢される、項目７２に記載の継手アセンブリ。
（項目７４）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目７２および７３のいずれかに記載の継手アセンブリ。
（項目７５）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目７２〜７４のいずれかに記載の継手アセンブリ。
（項目７６）
前記保定器は、前記第２の継手構成要素と組み立てられる、環状保定器本体を備える、項目７２〜７５のいずれかに記載の継手アセンブリ。
（項目７７）
前記握持部分および前記コレット固定部分のうちの少なくとも１つは、前記保定器本体と前記第２の継手構成要素との間で捕捉される、少なくとも１つの軸受部材を備える、項目７６に記載の継手アセンブリ。
（項目７８）
前記複数の軸受部材はそれぞれ、略球形である、項目７７に記載の継手アセンブリ。
（項目７９）
前記握持部分および前記コレット固定部分のうちの少なくとも１つは、少なくとも１つの軸方向に延在する半径方向に可撓性の部材を備える、項目７６〜７８のいずれかに記載の継手アセンブリ。
（項目８０）
前記少なくとも１つの可撓性部材は、前記保定器本体と一体型である、項目７９記載の継手アセンブリ。
（項目８１）
前記握持部分は、前記保定器本体と前記継手アセンブリのテーパ状表面との間で捕捉される複数の軸受部材を備え、前記コレット固定部分は、前記保定器本体と一体型である、複数の軸方向に延在する半径方向に可撓性の部材を備える、項目７６〜８０のいずれかに記載の継手アセンブリ。
（項目８２）
前記保定器本体は、環状断面を形成するように組み立てられる複数の弓状区画を備える、項目７６〜８１に記載の継手アセンブリ。
（項目８３）
前記握持部分は、複数の軸受部材を備え、前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目８２に記載の継手アセンブリ。
（項目８４）
前記握持部分は、前記保定器本体内の対応する複数の空洞の中で保定される、複数の軸受部材を備える、項目７６〜８３のいずれかに記載の継手アセンブリ。
（項目８５）
前記保定器はさらに、前記握持部分の内側に第２のコレット固定部分を含む、項目７２〜８４のいずれかに記載の継手アセンブリ。
（項目８６）
前記握持部分および前記コレット固定部分をばね付勢するように前記第２の継手構成要素と前記保定器との間に配置される、ばね部材をさらに備える、項目７２〜８５のいずれかに記載の継手アセンブリ。
（項目８７）
前記第１の継手構成要素は、雌ねじ山付き本体を備え、前記第２の継手構成要素は、雄ねじ山付きナットを備える、項目７２〜８６のいずれかに記載の継手アセンブリ。
（項目８８）
前記第１の継手構成要素は、雄ねじ山付き本体を備え、前記第２の継手構成要素は、雌ねじ山付きナットを備える、項目７２〜８６のいずれかに記載の継手アセンブリ。
（項目８９）
前記シールデバイスは、前記第１および第２の継手構成要素のうちの１つと前記挿入された導管端の前記外面との間に非ポリマーシールを形成する、項目７２〜８８のいずれかに記載の継手アセンブリ。
（項目９０）
前記シールデバイスは、前記第１および第２の継手構成要素のうちの１つと前記挿入された導管端の前記外面との間に全金属シールを形成する、項目７２〜８９のいずれかに記載の継手アセンブリ。
（項目９１）
前記シールデバイスは、内側向きのＣ字形断面を有する、環状リップシールを含む、項目７２〜９０のいずれかに記載の継手アセンブリ。
（項目９２）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目９１に記載の継手アセンブリ。
（項目９３）
前記コレット固定部分は、前記挿入された導管端の円筒外面に共形化する湾曲内面を画定する、項目７２〜９２のいずれかに記載の継手アセンブリ。
（項目９４）
前記第２の継手構成要素および前記保定器は、前記第２の継手構成要素が前記第１の継手構成要素から分解されるときに、サブアセンブリとしてともに保定される、項目７２〜９３のいずれかに記載の継手アセンブリ。
（項目９５）
前記第２の継手構成要素、前記シールデバイス、および前記保定器は、前記第２の継手構成要素が前記第１の継手構成要素から分解されるときに、サブアセンブリとしてともに保定される、項目７２〜９４のいずれかに記載の継手アセンブリ。
（項目９６）
前記コレット固定部分は、外部の外向き軸荷重が前記挿入された導管端に印加されないときに、半径方向間隙によって前記挿入された導管端の前記外面から分離される、項目７２〜９５のいずれかに記載の継手アセンブリ。
（項目９７）
前記握持部分は、前記挿入された導管端を握持するように前記継手アセンブリの連続的テーパ状内部表面の第１の部分に対してばね付勢され、前記コレット固定部分は、前記挿入された導管端をコレット固定するように前記継手アセンブリの前記連続的テーパ状内部表面の第２の部分に対してばね付勢される、項目７２〜９６のいずれかに記載の継手アセンブリ。
（項目９８）
前記連続的テーパ状内部表面の前記第１および第２の部分は、単一の一様なテーパ状表面を形成する、項目９７に記載の継手アセンブリ。
（項目９９）
前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、項目７２〜９８のいずれかに記載の継手アセンブリ。
（項目１００）
前記握持部分は、前記挿入された導管端を握持するように第１の表面接触面積を覆って前記挿入された導管端に係合し、前記コレット固定部分は、前記挿入された導管端をコレット固定するように前記第１の表面接触面積より大きい第２の表面接触面積を覆って前記挿入された導管端に係合する、項目７２〜９９のいずれかに記載の継手アセンブリ。
（項目１０１）
前記握持部分は、前記第１の継手構成要素の前記外側端の中への前記導管端の挿入に応じて、前記挿入された導管端を握持する、項目７２〜１００のいずれかに記載の継手アセンブリ。
（項目１０２）
前記コレット固定部分は、少なくとも流体圧力が前記継手アセンブリに印加されるときに、前記挿入された導管端をコレット固定する、項目７２〜１０１のいずれかに記載の継手アセンブリ。
（項目１０３）
前記コレット固定部分は、少なくとも外部軸荷重が前記挿入された導管端に外側方向に印加されるときに、前記挿入された導管端をコレット固定する、項目７２〜１０２のいずれかに記載の継手アセンブリ。
（項目１０４）
前記コレット固定部分は、前記第１の継手構成要素の前記外側端の中への前記導管端の挿入に応じて、前記挿入された導管端をコレット固定する、項目７２〜１０３のいずれかに記載の継手アセンブリ。
（項目１０５）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第２の継手構成要素と組み立てられる、保定器であって、前記保定器は、握持部分と、前記握持部分の外側のコレット固定部分とを含み、前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、保定器と、
を備える、継手アセンブリ。
（項目１０６）
前記握持部分および前記コレット固定部分は、前記継手アセンブリの前記連続的テーパ状内部表面の前記第１および第２の部分に対して軸方向にばね付勢される、項目１０５に記載の継手アセンブリ。
（項目１０７）
前記連続的テーパ状内部表面の前記第１および第２の部分は、単一の一様なテーパ状表面を形成する、項目１０５および１０６のいずれかに記載の継手アセンブリ。
（項目１０８）
前記連続的テーパ状内部表面は、前記第２の継手構成要素の中に配置される、項目１０５〜１０７のいずれかに記載の継手アセンブリ。
（項目１０９）
前記保定器は、前記第２の継手構成要素と組み立てられる、環状保定器本体を備える、項目１０５〜１０８のいずれかに記載の継手アセンブリ。
（項目１１０）
前記握持部分および前記コレット固定部分のうちの少なくとも１つは、前記保定器本体と前記第２の継手構成要素との間で捕捉される、少なくとも１つの軸受部材を備える、項目１０９に記載の継手アセンブリ。
（項目１１１）
前記少なくとも１つの軸受部材はそれぞれ、略球形である、項目１１０に記載の継手アセンブリ。
（項目１１２）
前記握持部分および前記コレット固定部分のうちの少なくとも１つは、少なくとも１つの軸方向に延在する半径方向に可撓性の部材を備える、項目１０９〜１１１のいずれかに記載の継手アセンブリ。
（項目１１３）
前記少なくとも１つの可撓性部材は、前記保定器本体と一体型である、項目１１２に記載の継手アセンブリ。
（項目１１４）
前記握持部分は、前記保定器本体と前記継手アセンブリのテーパ状表面との間で捕捉される複数の軸受部材を備え、前記コレット固定部分は、前記保定器本体と一体型である、複数の軸方向に延在する半径方向に可撓性の部材を備える、項目１０９〜１１３のいずれかに記載の継手アセンブリ。
（項目１１５）
前記保定器本体は、環状断面を形成するように組み立てられる複数の弓状区画を備える、項目１０９〜１１４のいずれかに記載の継手アセンブリ。
（項目１１６）
前記握持部分は、複数の軸受部材を備え、前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目１１５に記載の継手アセンブリ。
（項目１１７）
前記握持部分は、前記保定器本体内の対応する複数の空洞の中で保定される、複数の軸受部材を備える、項目１０９〜１１６のいずれかに記載の継手アセンブリ。
（項目１１８）
前記保定器はさらに、前記握持部分の内側に第２のコレット固定部分を含む、項目１０５〜１１７のいずれかに記載の継手アセンブリ。
（項目１１９）
前記連続的テーパ状内部表面の前記第１および第２の部分に対して前記握持部分ならびに前記コレット固定部分を軸方向に付勢するように前記第２の継手構成要素と前記保定器との間に配置される、ばね付勢部材をさらに備える、項目１０５〜１１８のいずれかに記載の継手アセンブリ。
（項目１２０）
前記第１の継手構成要素は、雌ねじ山付き本体を備え、前記第２の継手構成要素は、雄ねじ山付きナットを備える、項目１０５〜１１９のいずれかに記載の継手アセンブリ。
（項目１２１）
前記第１の継手構成要素は、雄ねじ山付き本体を備え、前記第２の継手構成要素は、雌ねじ山付きナットを備える、項目１０５〜１１９のいずれかに記載の継手アセンブリ。
（項目１２２）
前記シールデバイスは、前記第１および第２の継手構成要素のうちの１つと前記挿入された導管端の前記外面との間に非ポリマーシールを形成する、項目１０５〜１２１のいずれかに記載の継手アセンブリ。
（項目１２３）
前記シールデバイスは、前記第１および第２の継手構成要素のうちの１つと前記挿入された導管端の前記外面との間に全金属シールを形成する、項目１０５〜１２２のいずれかに記載の継手アセンブリ。
（項目１２４）
前記シールデバイスは、内側向きのＣ字形断面を有する、環状リップシールを含む、項目１０５〜１２３のいずれかに記載の継手アセンブリ。
（項目１２５）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目１２４に記載の継手アセンブリ。
（項目１２６）
前記コレット固定部分は、前記挿入された導管端の円筒外面に共形化する湾曲内面を画定する、項目１０５〜１２５のいずれかに記載の継手アセンブリ。
（項目１２７）
前記第２の継手構成要素および前記保定器は、前記第２の継手構成要素が前記第１の継手構成要素から分解されるときに、サブアセンブリとしてともに保定される、項目１０５〜１２６のいずれかに記載の継手アセンブリ。
（項目１２８）
前記第２の継手構成要素、前記シールデバイス、および前記保定器は、前記第２の継手構成要素が前記第１の継手構成要素から分解されるときに、サブアセンブリとしてともに保定される、項目１０５〜１２７のいずれかに記載の継手アセンブリ。
（項目１２９）
前記コレット固定部分は、外部の外向き軸荷重が前記挿入された導管端に印加されないときに、半径方向間隙によって前記挿入された導管端の前記外面から分離される、項目１０５〜１２８のいずれかに記載の継手アセンブリ。
（項目１３０）
前記握持部分は、前記第１の継手構成要素の前記外側端の中への前記導管端の挿入に応じて、前記挿入された導管端を握持する、項目１０５〜１２９のいずれかに記載の継手アセンブリ。
（項目１３１）
前記コレット固定部分は、少なくとも流体圧力が前記継手アセンブリに印加されるときに、前記挿入された導管端をコレット固定する、項目１０５〜１３０のいずれかに記載の継手アセンブリ。
（項目１３２）
前記コレット固定部分は、少なくとも外部軸荷重が前記挿入された導管端に外側方向に印加されるときに、前記挿入された導管端をコレット固定する、項目１０５〜１３１のいずれかに記載の継手アセンブリ。
（項目１３３）
前記コレット固定部分は、前記第１の継手構成要素の前記外側端の中への前記導管端の挿入に応じて、前記挿入された導管端をコレット固定する、項目１０５〜１３２のいずれかに記載の継手アセンブリ。
（項目１３４）
前記握持部分は、前記挿入された導管端を握持するように第１の表面接触面積を覆って前記挿入された導管端に係合し、前記コレット固定部分は、前記挿入された導管端をコレット固定するように前記第１の表面接触面積より大きい第２の表面接触面積を覆って前記挿入された導管端に係合する、項目１０５〜１３３のいずれかに記載の継手アセンブリ。
（項目１３５）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第２の継手構成要素と組み立てられる、保定器であって、前記保定器は、握持部分と、前記握持部分の外側のコレット固定部分とを含み、前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、保定器と、
を備える、継手アセンブリ。
（項目１３６）
前記保定器は、前記第２の継手構成要素と組み立てられる、環状保定器本体を備える、項目１３５に記載の継手アセンブリ。
（項目１３７）
前記握持部分および前記コレット固定部分のうちの少なくとも１つは、前記保定器本体と前記第２の継手構成要素との間で捕捉される、少なくとも１つの軸受部材を備える、項目１３６に記載の継手アセンブリ。
（項目１３８）
前記少なくとも１つの軸受部材はそれぞれ、略球形である、項目１３７に記載の継手アセンブリ。
（項目１３９）
前記握持部分および前記コレット固定部分のうちの少なくとも１つは、少なくとも１つの軸方向に延在する半径方向に可撓性の部材を備える、項目１３６〜１３８のいずれかに記載の継手アセンブリ。
（項目１４０）
前記少なくとも１つの可撓性部材は、前記保定器本体と一体型である、項目１３９に記載の継手アセンブリ。
（項目１４１）
前記握持部分は、前記保定器本体と前記継手アセンブリのテーパ状表面との間で捕捉される複数の軸受部材を備え、前記コレット固定部分は、前記保定器本体と一体型である、複数の軸方向に延在する半径方向に可撓性の部材を備える、項目１３６〜１４０のいずれかに記載の継手アセンブリ。
（項目１４２）
前記保定器本体は、環状断面を形成するように組み立てられる複数の弓状区画を備える、項目１３６〜１４１のいずれかに記載の継手アセンブリ。
（項目１４３）
前記握持部分は、複数の軸受部材を備え、前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目１４２に記載の継手アセンブリ。
（項目１４４）
前記握持部分は、前記保定器本体内の対応する複数の空洞の中で保定される、複数の軸受部材を備える、項目１３６〜１４３のいずれかに記載の継手アセンブリ。
（項目１４５）
前記保定器はさらに、前記握持部分の内側に第２のコレット固定部分を含む、項目１３５〜１４４のいずれかに記載の継手アセンブリ。
（項目１４６）
前記握持部分および前記コレット固定部分のうちの少なくとも１つを軸方向に付勢するように前記第２の継手構成要素と前記保定器との間に配置される、付勢部材をさらに備える、項目１３５〜１４５のいずれかに記載の継手アセンブリ。
（項目１４７）
前記第２の継手構成要素は、前記挿入された導管端の前記外面との係合に向かって半径方向内向きに前記握持部分および前記コレット固定部分のうちの前記少なくとも１つを移動させるように、前記握持部分および前記コレット固定部分のうちの前記軸方向に付勢された少なくとも１つに係合する、テーパ状内部表面を備える、項目１４６に記載の継手アセンブリ。
（項目１４８）
前記付勢部材は、前記テーパ状内部表面と係合するように前記握持部分および前記コレット固定部分の両方を軸方向に付勢する、項目１４７に記載の継手アセンブリ。
（項目１４９）
前記第１の継手構成要素は、雌ねじ山付き本体を備え、前記第２の継手構成要素は、雄ねじ山付きナットを備える、項目１３５〜１４８のいずれかに記載の継手アセンブリ。
（項目１５０）
前記第１の継手構成要素は、雄ねじ山付き本体を備え、前記第２の継手構成要素は、雌ねじ山付きナットを備える、項目１３５〜１４８のいずれかに記載の継手アセンブリ。
（項目１５１）
前記シールデバイスは、前記第１および第２の継手構成要素のうちの１つと前記挿入された導管端の前記外面との間に非ポリマーシールを形成する、項目１３５〜１５０のいずれかに記載の継手アセンブリ。
（項目１５２）
前記シールデバイスは、前記第１および第２の継手構成要素のうちの１つと前記挿入された導管端の前記外面との間に全金属シールを形成する、項目１３５〜１５１のいずれかに記載の継手アセンブリ。
（項目１５３）
前記シールデバイスは、内側向きのＣ字形断面を有する、環状リップシールを含む、項目１３５〜１５２のいずれかに記載の継手アセンブリ。
（項目１５４）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目１５３に記載の継手アセンブリ。
（項目１５５）
前記コレット固定部分は、前記挿入された導管端の円筒外面に共形化する湾曲内面を画定する、項目１３５〜１５４のいずれかに記載の継手アセンブリ。
（項目１５６）
前記第２の継手構成要素および前記保定器は、前記第２の継手構成要素が前記第１の継手構成要素から分解されるときに、サブアセンブリとしてともに保定される、項目１３５〜１５５のいずれかに記載の継手アセンブリ。
（項目１５７）
前記第２の継手構成要素、前記シールデバイス、および前記保定器は、前記第２の継手構成要素が前記第１の継手構成要素から分解されるときに、サブアセンブリとしてともに保定される、項目１３５〜１５６のいずれかに記載の継手アセンブリ。
（項目１５８）
前記コレット固定部分は、外部の外向き軸荷重が前記挿入された導管端に印加されないときに、半径方向間隙によって前記挿入された導管端の前記外面から分離される、項目１３５〜１５７のいずれかに記載の継手アセンブリ。
（項目１５９）
前記握持部分および前記コレット固定部分は、半径方向内向きにばね付勢される、項目１３５〜１５８のいずれかに記載の継手アセンブリ。
（項目１６０）
前記握持部分および前記コレット固定部分は、半径方向内向きに前記握持部分および前記コレット固定部分を付勢するように、前記第２の継手構成要素のテーパ状内部表面に対して軸方向にばね付勢される、項目１３５〜１５９のいずれかに記載の継手アセンブリ。
（項目１６１）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目１３５〜１６０のいずれかに記載の継手アセンブリ。
（項目１６２）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目１３５〜１６１のいずれかに記載の継手アセンブリ。
（項目１６３）
前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、項目１３５〜１６２のいずれかに記載の継手アセンブリ。
（項目１６４）
前記連続的テーパ状内部表面の前記第１および第２の部分は、単一の一様なテーパ状表面を形成する、項目１６３に記載の継手アセンブリ。
（項目１６５）
前記握持部分は、前記第１の継手構成要素の前記外側端の中への前記導管端の挿入に応じて、前記挿入された導管端を握持する、項目１３５〜１６４のいずれかに記載の継手アセンブリ。
（項目１６６）
前記コレット固定部分は、少なくとも流体圧力が前記継手アセンブリに印加されるときに、前記挿入された導管端をコレット固定する、項目１３５〜１６５のいずれかに記載の継手アセンブリ。
（項目１６７）
前記コレット固定部分は、少なくとも外部軸荷重が前記挿入された導管端に外側方向に印加されるときに、前記挿入された導管端をコレット固定する、項目１３５〜１６６のいずれかに記載の継手アセンブリ。
（項目１６８）
前記コレット固定部分は、前記第１の継手構成要素の前記外側端の中への前記導管端の挿入に応じて、前記挿入された導管端をコレット固定する、項目１３５〜１６７のいずれかに記載の継手アセンブリ。
（項目１６９）
前記握持部分は、前記挿入された導管端を握持するように第１の表面接触面積を覆って前記挿入された導管端に係合し、前記コレット固定部分は、前記挿入された導管端をコレット固定するように前記第１の表面接触面積より大きい第２の表面接触面積を覆って前記挿入された導管端に係合する、項目１３５〜１６８のいずれかに記載の継手アセンブリ。
（項目１７０）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、導管端が前記第１の継手構成要素の前記外側端の中に挿入されるときに、前記導管端の外面で前記第１および第２の継手構成要素のうちの１つを密閉する、シールデバイスと、
前記第１および第２の継手構成要素のうちの少なくとも１つと組み立てられる、保定器であって、前記保定器は、前記挿入された導管端を握持する握持部分と、前記握持部分の外側のコレット固定部分とを含み、前記コレット固定部分は、前記挿入された導管端の前記外面と係合するよう撓曲され、前記挿入された導管端をコレット固定するように適合される、端部分を有する、少なくとも１つの軸方向に延在する半径方向に可撓性の部材を含む、保定器と、
を備える、継手アセンブリ。
（項目１７１）
前記保定器は、前記第２の継手構成要素と組み立てられる、環状保定器本体を備える、項目１７０に記載の継手アセンブリ。
（項目１７２）
前記握持部分および前記コレット固定部分のうちの少なくとも１つは、前記保定器本体と前記第２の継手構成要素との間で捕捉される、少なくとも１つの軸受部材を備える、項目１７１に記載の継手アセンブリ。
（項目１７３）
前記少なくとも１つの軸受部材はそれぞれ、略球形である、項目１７２に記載の継手アセンブリ。
（項目１７４）
前記少なくとも１つの可撓性部材は、前記保定器本体と一体型である、項目１７１〜１７３のいずれかに記載の継手アセンブリ。
（項目１７５）
前記握持部分は、前記保定器本体と前記継手アセンブリのテーパ状表面との間で捕捉される複数の軸受部材を備え、前記少なくとも１つの可撓性部材は、前記保定器本体と一体型である、複数の軸方向に延在する半径方向に可撓性の部材を備える、項目１７１〜１７４のいずれかに記載の継手アセンブリ。
（項目１７６）
前記保定器本体は、環状断面を形成するように組み立てられる複数の弓状区画を備える、項目１７１〜１７５のいずれかに記載の継手アセンブリ。
（項目１７７）
前記握持部分は、複数の軸受部材を備え、前記少なくとも１つの可撓性部材は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目１７６に記載の継手アセンブリ。
（項目１７８）
前記握持部分は、前記保定器本体内の対応する複数の空洞の中で保定される、複数の軸受部材を備える、項目１７１〜１７７のいずれかに記載の継手アセンブリ。
（項目１７９）
前記保定器はさらに、前記握持部分の内側に第２のコレット固定部分を含む、項目１７０〜１７８のいずれかに記載の継手アセンブリ。
（項目１８０）
前記握持部分および前記コレット固定部分のうちの少なくとも１つを軸方向に付勢するように前記第２の継手構成要素と前記保定器との間に配置される、付勢部材をさらに備える、項目１７０〜１７９のいずれかに記載の継手アセンブリ。
（項目１８１）
前記第２の継手構成要素は、前記挿入された導管端の前記外面との係合に向かって半径方向内向きに前記握持部分および前記コレット固定部分のうちの前記少なくとも１つを移動させるように、前記握持部分および前記コレット固定部分のうちの前記軸方向に付勢された少なくとも１つに係合する、テーパ状内部表面を備える、項目１８０に記載の継手アセンブリ。
（項目１８２）
前記付勢部材は、前記テーパ状内部表面と係合するように前記握持部分および前記コレット固定部分の両方を軸方向に付勢する、項目１８１に記載の継手アセンブリ。
（項目１８３）
前記第１の継手構成要素は、雌ねじ山付き本体を備え、前記第２の継手構成要素は、雄ねじ山付きナットを備える、項目１７０〜１８２のいずれかに記載の継手アセンブリ。
（項目１８４）
前記第１の継手構成要素は、雄ねじ山付き本体を備え、前記第２の継手構成要素は、雌ねじ山付きナットを備える、項目１７０〜１８２のいずれかに記載の継手アセンブリ。
（項目１８５）
前記シールデバイスは、前記第１および第２の継手構成要素のうちの１つと前記挿入された導管端の前記外面との間に非ポリマーシールを形成する、項目１７０〜１８４のいずれかに記載の継手アセンブリ。
（項目１８６）
前記シールデバイスは、前記第１および第２の継手構成要素のうちの１つと前記挿入された導管端の前記外面との間に全金属シールを形成する、項目１７０〜１８５のいずれかに記載の継手アセンブリ。
（項目１８７）
前記シールデバイスは、内側向きのＣ字形断面を有する、環状リップシールを含む、項目１７０〜１８６のいずれかに記載の継手アセンブリ。
（項目１８８）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目１８７に記載の継手アセンブリ。
（項目１８９）
前記コレット固定部分は、前記挿入された導管端の円筒外面に共形化する湾曲内面を画定する、項目１７０〜１８８のいずれかに記載の継手アセンブリ。
（項目１９０）
前記第２の継手構成要素および前記保定器は、前記第２の継手構成要素が前記第１の継手構成要素から分解されるときに、サブアセンブリとしてともに保定される、項目１７０〜１８９のいずれかに記載の継手アセンブリ。
（項目１９１）
前記第２の継手構成要素、前記シールデバイス、および前記保定器は、前記第２の継手構成要素が前記第１の継手構成要素から分解されるときに、サブアセンブリとしてともに保定される、項目１７０〜１９０のいずれかに記載の継手アセンブリ。
（項目１９２）
前記少なくとも１つの可撓性部材の前記端部分は、外部の外向き軸荷重が前記挿入された導管端に印加されないときに、半径方向間隙によって前記挿入された導管端の前記外面から分離される、項目１７０〜１９１のいずれかに記載の継手アセンブリ。
（項目１９３）
前記握持部分および前記コレット固定部分は、半径方向内向きにばね付勢される、項目１７０〜１９２のいずれかに記載の継手アセンブリ。
（項目１９４）
前記握持部分および前記コレット固定部分は、半径方向内向きに前記握持部分および前記コレット固定部分を付勢するように、前記第２の継手構成要素のテーパ状内部表面に対して軸方向にばね付勢される、項目１７０〜１９３のいずれかに記載の継手アセンブリ。
（項目１９５）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目１７０〜１９４のいずれかに記載の継手アセンブリ。
（項目１９６）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目１７０〜１９５のいずれかに記載の継手アセンブリ。
（項目１９７）
前記握持部分は、前記挿入された導管端を握持するように前記継手アセンブリの連続的テーパ状内部表面の第１の部分に対して付勢され、前記コレット固定部分は、前記挿入された導管端をコレット固定するように前記継手アセンブリの前記連続的テーパ状内部表面の第２の部分に対して付勢される、項目１７０〜１９６のいずれかに記載の継手アセンブリ。
（項目１９８）
前記連続的テーパ状内部表面の前記第１および第２の部分は、単一の一様なテーパ状表面を形成する、項目１９７に記載の継手アセンブリ。
（項目１９９）
前記導管端が前記第１の継手構成要素の前記外側端の中に挿入され、流体圧力が前記継手アセンブリに印加されるとき、前記シールデバイスは、付勢力を前記握持部分に印加して、前記挿入された導管端との握持係合に向かって前記握持部分を付勢するように、かつ付勢力を前記コレット固定部分に印加して、前記挿入された導管端とのコレット固定係合に向かって前記コレット固定部分を付勢するように加圧される、項目１７０〜１９８のいずれかに記載の継手アセンブリ。
（項目２００）
前記握持部分は、前記第１の継手構成要素の前記外側端の中への前記導管端の挿入に応じて、前記挿入された導管端を握持する、項目１７０〜１９９のいずれかに記載の継手アセンブリ。
（項目２０１）
前記コレット固定部分は、少なくとも流体圧力が前記継手アセンブリに印加されるときに、前記挿入された導管端をコレット固定する、項目１７０〜２００のいずれかに記載の継手アセンブリ。
（項目２０２）
前記コレット固定部分は、少なくとも外部軸荷重が前記挿入された導管端に外側方向に印加されるときに、前記挿入された導管端をコレット固定する、項目１７０〜２０１のいずれかに記載の継手アセンブリ。
（項目２０３）
前記コレット固定部分は、前記第１の継手構成要素の前記外側端の中への前記導管端の挿入に応じて、前記挿入された導管端をコレット固定する、項目１７０〜２０２のいずれかに記載の継手アセンブリ。
（項目２０４）
前記握持部分は、前記挿入された導管端を握持するように第１の表面接触面積を覆って前記挿入された導管端に係合し、前記コレット固定部分は、前記挿入された導管端をコレット固定するように前記第１の表面接触面積より大きい第２の表面接触面積を覆って前記挿入された導管端に係合する、項目１７０〜２０３のいずれかに記載の継手アセンブリ。
（項目２０５）
縦軸を有する導管用の押動式接続継手アセンブリであって、
導管端を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、前記導管端が前記第１の継手構成要素の前記外側端の中に挿入されるときに、前記第１および第２の継手構成要素のうちの１つと前記導管端の外面との間に非ポリマーシールを形成する、シールデバイスと、
前記第１および第２の継手構成要素のうちの少なくとも１つと組み立てられる、保定器であって、前記挿入された導管端を握持する握持部分を含む、保定器と、
を備える、継手アセンブリ。
（項目２０６）
前記シールデバイスは、前記第１および第２の継手構成要素のうちの１つと前記挿入された導管端の前記外面との間に全金属シールを形成する、項目２０５に記載の継手アセンブリ。
（項目２０７）
前記シールデバイスは、内側向きのＣ字形断面を有する、環状リップシールを含む、項目２０５および２０６のいずれかに記載の継手アセンブリ。
（項目２０８）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目２０７に記載の継手アセンブリ。
（項目２０９）
前記第１の継手構成要素に対して前記シールデバイスを軸方向に付勢するように前記第２の継手構成要素と前記シールデバイスとの間に配置される、付勢部材をさらに備える、項目２０５〜２０８のいずれかに記載の継手アセンブリ。
（項目２１０）
組み合わせで、押動式接続継手アセンブリ、および縦軸を有する導管であって、継手アセンブリは、
前記導管の端部分を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、前記導管端部分が前記第１の継手構成要素の前記外側端の中に挿入されるときに、前記導管端部分の第１の外面で前記第１および第２の継手構成要素のうちの１つを密閉する、シールデバイスと、
前記第１および第２の継手構成要素のうちの少なくとも１つと組み立てられる、保定器であって、前記保定器は、前記挿入された導管端部分の第２の外面を握持する複数の円周方向に離間した軸受部材を備える、握持部分と、前記握持部分の外側のコレット固定部分とを含み、前記コレット固定部分は、前記挿入された導管端部分の第３の外面をコレット固定する、保定器と、
を備える、組み合わせ。
（項目２１１）
前記導管端部分の前記第２の外面は、前記導管端部分が完全に前記継手アセンブリの中に設置されるときに、前記軸受部材を受容するように定寸される、円周方向溝を含む、項目２１０に記載の組み合わせ。
（項目２１２）
前記シールデバイスは、前記円周方向溝との軸受部材の係合が、前記挿入された導管端部分との前記シールデバイスの密閉係合の触覚指標を提供するように、前記導管端部分が完全に前記継手アセンブリの中に設置されるときに、前記導管端部分の前記第１の外面に対して密閉する、項目２１１に記載の組み合わせ。
（項目２１３）
前記第１、第２、および第３の外面は、一様な外径を有する円筒表面をともに画定する、項目２１０に記載の組み合わせ。
（項目２１４）
前記密閉デバイスは、前記導管端部分の前記円筒表面の事前修正を伴わずに、前記第１の外面に対して密閉するように構成される、項目２１３に記載の組み合わせ。
（項目２１５）
前記握持部分は、前記導管端部分の前記円筒表面の事前修正を伴わずに、前記第２の外面を握持するように構成される、項目２１３および２１４のいずれかに記載の組み合わせ。
（項目２１６）
前記コレット固定部分は、前記導管端部分の前記円筒表面の事前修正を伴わずに、前記第３の外面をコレット固定するように構成される、項目２１３〜２１５のいずれかに記載の組み合わせ。
（項目２１７）
前記保定器は、前記第２の継手構成要素と組み立てられる環状保定器本体を備える、項目２１０〜２１６のいずれかに記載の組み合わせ。
（項目２１８）
前記握持部分および前記コレット固定部分のうちの少なくとも１つは、前記保定器本体と前記第２の継手構成要素との間で捕捉される、項目２１７に記載の組み合わせ。
（項目２１９）
前記コレット固定部分は、前記保定器本体と一体型である、少なくとも１つの軸方向に延在する半径方向に可撓性の部材を備える、項目２１７および２１８のいずれかに記載の組み合わせ。
（項目２２０）
前記複数の軸受部材は、前記保定器本体と前記継手アセンブリのテーパ状表面との間で捕捉される、項目２１７〜２１９のいずれかに記載の組み合わせ。
（項目２２１）
前記保定器本体は、環状断面を形成するように組み立てられる複数の弓状区画を備える、項目２１７〜２２０のいずれかに記載の組み合わせ。
（項目２２２）
前記コレット固定部分は、複数の軸方向に延在する半径方向に可撓性の部材を備え、前記複数の弓状区画はそれぞれ、前記複数の軸受部材のうちの１つを受容する少なくとも１つの空洞を画定し、前記複数の弓状区画はそれぞれ、前記複数の可撓性部材のうちの少なくとも１つを形成する、項目２２１に記載の組み合わせ。
（項目２２３）
前記複数の軸受部材は、前記保定器本体内の対応する複数の空洞の中で保定される、項目２１７〜２２２のいずれかに記載の組み合わせ。
（項目２２４）
前記コレット固定部分は、少なくとも１つの軸方向に延在する半径方向に可撓性の部材を備える、項目２１５〜２２３のいずれかに記載の組み合わせ。
（項目２２５）
前記複数の軸受部材はそれぞれ、略球形である、項目２１５〜２２４のいずれかに記載の組み合わせ。
（項目２２６）
前記保定器はさらに、前記複数の軸受部材の内側に第２のコレット固定部分を含む、項目２１５〜２２５のいずれかに記載の組み合わせ。
（項目２２７）
前記握持部分および前記コレット固定部分のうちの少なくとも１つを軸方向に付勢するように前記第２の継手構成要素と前記保定器との間に配置される、付勢部材をさらに備える、項目２１０〜２２１のいずれかに記載の組み合わせ。
（項目２２８）
前記第２の継手構成要素は、前記挿入された導管端部分の前記外面との係合に向かって半径方向内向きに前記握持部分および前記コレット固定部分のうちの前記少なくとも１つを移動させるように、前記握持部分および前記コレット固定部分のうちの前記軸方向に付勢された少なくとも１つに係合する、テーパ状内部表面を備える、項目２２７に記載の組み合わせ。
（項目２２９）
前記付勢部材は、前記テーパ状内部表面と係合するように前記握持部分および前記コレット固定部分の両方を軸方向に付勢する、項目２２８に記載の組み合わせ。
（項目２３０）
前記第１の継手構成要素は、雌ねじ山付き本体を備え、前記第２の継手構成要素は、雄ねじ山付きナットを備える、項目２１５〜２２９のいずれかに記載の組み合わせ。
（項目２３１）
前記第１の継手構成要素は、雄ねじ山付き本体を備え、前記第２の継手構成要素は、雌ねじ山付きナットを備える、項目２１５〜２２９のいずれかに記載の組み合わせ。
（項目２３２）
前記シールデバイスは、前記第１および第２の継手構成要素のうちの１つと前記挿入された導管端部分の前記外面との間に非ポリマーシールを形成する、項目２１５〜２３１のいずれかに記載の組み合わせ。
（項目２３３）
前記シールデバイスは、前記第１および第２の継手構成要素のうちの１つと前記挿入された導管端部分の前記外面との間に全金属シールを形成する、項目２１５〜２３２のいずれかに記載の組み合わせ。
（項目２３４）
前記シールデバイスは、内側向きのＣ字形断面を有する、環状リップシールを含む、項目２１５〜２３３のいずれかに記載の組み合わせ。
（項目２３５）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目２３４に記載の組み合わせ。
（項目２３６）
前記コレット固定部分は、前記挿入された導管端部分の円筒外面に共形化する湾曲内面を画定する、項目２１５〜２３５のいずれかに記載の組み合わせ。
（項目２３７）
前記第２の継手構成要素および前記保定器は、前記第２の継手構成要素が前記第１の継手構成要素から分解されるときに、サブアセンブリとしてともに保定される、項目２１５〜２３６のいずれかに記載の組み合わせ。
（項目２３８）
前記第２の継手構成要素、前記シールデバイス、および前記保定器は、前記第２の継手構成要素が前記第１の継手構成要素から分解されるときに、サブアセンブリとしてともに保定される、項目２１５〜２３７のいずれかに記載の組み合わせ。
（項目２３９）
前記コレット固定部分は、外部の外向き軸荷重が前記挿入された導管端部分に印加されないときに、半径方向間隙によって前記挿入された導管端部分の前記外面から分離される、項目２１５〜２３８のいずれかに記載の組み合わせ。
（項目２４０）
前記握持部分および前記コレット固定部分は、半径方向内向きにばね付勢される、項目２１５〜２３９のいずれかに記載の組み合わせ。
（項目２４１）
前記握持部分および前記コレット固定部分は、半径方向内向きに前記握持部分および前記コレット固定部分を付勢するように、前記第２の継手構成要素のテーパ状内部表面に対して軸方向にばね付勢される、項目２１５〜２３４のいずれかに記載の組み合わせ。
（項目２４２）
前記握持部分および前記コレット固定部分は、半径方向内向きに前記握持部分および前記コレット固定部分を付勢するように、前記第２の継手構成要素の連続的テーパ状内部表面に対して軸方向にばね付勢される、項目２１５〜２４１のいずれかに記載の組み合わせ。
（項目２４３）
前記握持部分および前記コレット固定部分は、半径方向内向きに前記握持部分および前記コレット固定部分を付勢するように、前記第２の継手構成要素の単一の一様なテーパ状内部表面に対して軸方向にばね付勢される、項目２１５〜２４２のいずれかに記載の組み合わせ。
（項目２４４）
前記握持部分は、前記挿入された導管端部分を握持するように前記継手アセンブリの連続的テーパ状内部表面の第１の部分に対して付勢され、前記コレット固定部分は、前記挿入された導管端部分をコレット固定するように前記継手アセンブリの前記連続的テーパ状内部表面の第２の部分に対して付勢される、項目２１５〜２４３のいずれかに記載の組み合わせ。
（項目２４５）
前記連続的テーパ状内部表面の前記第１および第２の部分は、単一の一様なテーパ状表面を形成する、項目２４４に記載の組み合わせ。
（項目２４６）
前記導管端部分が前記第１の継手構成要素の前記外側端の中に挿入され、流体圧力が前記継手アセンブリに印加されるとき、前記シールデバイスは、付勢力を前記握持部分に印加して、前記挿入された導管端部分との握持係合に向かって前記握持部分を付勢するように、かつ付勢力を前記コレット固定部分に印加して、前記挿入された導管端部分とのコレット固定係合に向かって前記コレット固定部分を付勢するように加圧される、項目２１５〜２４５のいずれかに記載の組み合わせ。
（項目２４７）
前記握持部分は、前記挿入された導管端部分を握持するように第１の表面接触面積を覆って前記挿入された導管端部分に係合し、前記コレット固定部分は、前記挿入された導管端部分をコレット固定するように前記第１の表面接触面積より大きい第２の表面接触面積を覆って前記挿入された導管端部分に係合する、項目２１５〜２４６のいずれかに記載の組み合わせ。
（項目２４８）
前記複数の軸受部材は、前記第１の継手構成要素の前記外側端の中への前記導管端部分の挿入に応じて、前記挿入された導管端部分を握持する、項目２１５〜２４７のいずれかに記載の組み合わせ。
（項目２４９）
前記コレット固定部分は、少なくとも流体圧力が前記継手アセンブリに印加されるときに、前記挿入された導管端部分をコレット固定する、項目２１５〜２４８のいずれかに記載の組み合わせ。
（項目２５０）
前記コレット固定部分は、少なくとも外部軸荷重が前記挿入された導管端部分に外側方向に印加されるときに、前記挿入された導管端部分をコレット固定する、項目２１５〜２４９のいずれかに記載の組み合わせ。
（項目２５１）
前記コレット固定部分は、前記第１の継手構成要素の前記外側端の中への前記導管端部分の挿入に応じて、前記挿入された導管端部分をコレット固定する、項目２１５〜２５０のいずれかに記載の組み合わせ。
（項目２５２）
組み合わせで、押動式接続継手アセンブリ、および縦軸を有する導管であって、継手アセンブリは、
前記導管の端部分を受容するように適合される外側端を有する、第１の継手構成要素と、
内部空洞を画定するように前記第１の継手構成要素に継合される、第２の継手構成要素と、
前記内部空洞の中に配置されるシールデバイスであって、前記シールデバイスは、前記導管端部分が前記第１の継手構成要素の前記外側端の中に挿入されるときに、前記第１および第２の継手構成要素のうちの１つと前記導管端部分の第１の外面との間に非ポリマーシールを形成する、シールデバイスと、
前記第１および第２の継手構成要素のうちの少なくとも１つと組み立てられる、保定器であって、前記挿入された導管端部分の第２の外面を握持する握持部分を含む、保定器と、
を備える、組み合わせ。
（項目２５３）
前記導管端部分の前記第２の外面は、前記導管端部分が完全に前記継手アセンブリの中に設置されるときに、前記軸受部材を受容するように定寸される、円周方向溝を含む、項目２５２に記載の組み合わせ。
（項目２５４）
前記シールデバイスは、前記円周方向溝との軸受部材の係合が、前記挿入された導管端部分との前記シールデバイスの密閉係合の触覚指標を提供するように、前記導管端部分が完全に前記継手アセンブリの中に設置されるときに、前記導管端部分の前記第１の外面に対して密閉する、項目２５２に記載の組み合わせ。
（項目２５５）
前記第１、第２、および第３の外面は、一様な外径を有する円筒表面をともに画定する、項目２５２に記載の組み合わせ。
（項目２５６）
前記密閉デバイスは、前記導管端部分の前記円筒表面の事前修正を伴わずに、前記第１の外面に対して密閉するように構成される、項目２５５に記載の組み合わせ。
（項目２５７）
前記握持部分は、前記導管端部分の前記円筒表面の事前修正を伴わずに、前記第２の外面を握持するように構成される、項目２５５および２５６のいずれかに記載の組み合わせ。
（項目２５８）
前記コレット固定部分は、前記導管端部分の前記円筒表面の事前修正を伴わずに、前記第３の外面をコレット固定するように構成される、項目２５５〜２５７のいずれかに記載の組み合わせ。
（項目２５９）
前記シールデバイスは、前記第１および第２の継手構成要素のうちの１つと前記挿入された導管端部分の前記外面との間に全金属シールを形成する、項目２５２〜２５８のいずれかに記載の組み合わせ。
（項目２６０）
前記シールデバイスは、内側向きのＣ字形断面を有する、環状リップシールを含む、項目２５２〜２５９のいずれかに記載の組み合わせ。
（項目２６１）
前記シールデバイスはさらに、前記第１の継手構成要素の内側肩部分に隣接する第１の端部と、前記環状リップシールの前記Ｃ字形断面の中で受容される第２の端部とを有する、支持グランドを含む、項目２６０に記載の組み合わせ。
（項目２６２）
前記第１の継手構成要素に対して前記シールデバイスを軸方向に付勢するように前記第２の継手構成要素と前記シールデバイスとの間に配置される、付勢部材をさらに備える、項目２５２〜２６１のいずれかに記載の組み合わせ。